(57)【特許請求の範囲】
【請求項１】
裏面に所定形状の嵌合穴が形成された天板と、
上端側に前記嵌合穴と嵌合する嵌合突起及び前記天板の裏面に密着し、複数のネジにより前記天板に固定されるためのフランジが形成された連結具と、
前記連結具の下端部に結合される脚を具備し、
前記嵌合突起の外周面に複数凹凸部を形成するとともに、
前記フランジの上側に所定深さの凹部を形成し、前記凹部に硬質の補強板を嵌合させ、
前記補強板の中央に、前記嵌合突起を圧入するための嵌合穴を穿設したことを特徴とする机の脚構造。
【請求項２】
前記脚は複数の脚部材を連続的に連結して構成され、前記各脚部材の少なくとも一方の端部には、その中央に外側へ突出した雄ねじ部及び前記雄ねじ部と螺合可能な雌ねじ部のいずれかが設けられ、一の脚部材の雄ねじ部と他の脚部材の雌ねじ部を螺合させることにより前記一の脚部材と他の脚部材とを連結することを特徴とする請求項１記載の机の脚構造。
【請求項３】
前記連結具の下端部側に形成された雌ねじと、前記脚の上端部に形成された雄ねじとを相互に螺合させることにより、前記脚と前記連結具とを結合することを特徴とする請求項１又は２記載の机の脚構造。
【請求項４】
前記雄ねじ部は、合成樹脂材で成型された胴体と、前記胴体にインサートされたボルトで構成されていることを特徴とする請求項２記載の机の脚構造。
【請求項５】
前記雌ねじ部は、合成樹脂材で成型された胴体と、前記胴体にインサートされたナットで構成されていることを特徴とする請求項２又は４記載の机の脚構造。
【発明の詳細な説明】
【０００１】
【発明の属する技術分野】
本発明は、机の天板を支持する脚構造に関し、より詳しくは、幼稚園や託児所などでより堅固な耐久性を維持しつつ、子供達の体形に合わせて天板の高さをたやすく調整できるようにされた机の脚構造に関するものである。
【０００２】
【従来の技術】
一般に、幼稚園や託児所などでは、多様な教育方法を適用させるため、机の頻繁な移動および再配置が必要となるが、このような机の頻繁な移動および再配置を行うと、机の脚に繰返し衝撃が作用し、机が破損する原因となる。そこで、これらの施設では、机の維持や補修に多くの費用がかかる。
【０００３】
上記施設で使用される机は、その主たるユーザである子供達の旺盛な発育状態にあわせて机の高さを隨時調節する必要があるが、従来はかかる目的で机の高さを調整できる机はほとんど存在しなかった。
【０００４】
従来から使用されていつ一般的な机の脚構造を図７に示す。図７に示すように、天板１００の裏面部に脚１０２が連結具１０４により結合されている。ここで、脚１０２は１つの棒状体からなり、その長さを調整できない構造である。連結具１０４は、脚１０２の上端が螺合される雌ねじ部１０６と、ねじ１０８により天板１００の裏面に密着固定されるフランジ部１１０が一体に形成された構造である。
【０００５】
【発明が解決しようとする課題】
上記従来の机の脚構造では、脚１０２は単に連結具１０４のフランジ部１１０を介して幾つかのねじ１０８により天板１００を支持しているにすぎないので、天板１００の下方へ長めに突出されている脚１０２に側方向の荷重が加わると、加わる荷重と共に、この加重によるモーメントがフランジ部１１０にかかることになり、ねじ１０８固定された構造が破損され、脚１０２が天板１００から外れる。
【０００６】
一方、連結具１０４の材料として軟質の合成樹脂が使用されている場合、上記のように脚１０２に加えられる衝撃により、ねじ１０８と連結具１０４のフランジ部１１０との間で遊動が発生し、ねじ１０８による結合力が低下する可能性がある。
【０００７】
さらに、上記のとうな一般的な棒形状の脚１０２を装着した机では、その高さが調整できないので、成長期の子供達にとって不便であると共に、姿勢を悪くする原因ともなる。
【０００８】
本発明は、上記従来例の問題点を解決するためになされたものであり、机の天板と脚の結合力をさらに強化すると共に、これらの結合構造が簡単に破損されないように耐久性を向上させ、机の高さを随時必要とする状態に調整可能な机の脚構造を提供することを目的としている。
【０００９】
【課題を解決するための手段】
上記目的を達成するために、本発明の机の脚構造は、裏面に所定形状の嵌合穴が形成された天板と、上端側に前記嵌合穴と嵌合する嵌合突起及び前記天板の裏面に密着し、複数のネジにより前記天板に固定されるためのフランジが形成された連結具と、前記連結具の下端部に結合される脚を具備し、前記嵌合突起の外周面に複数凹凸部を形成するとともに、前記フランジの上側に所定深さの凹部を形成し、前記凹部に硬質の補強板を嵌合させ、前記補強板の中央に、前記嵌合突起を圧入するための嵌合穴を穿設したことを特徴とする。
【００１０】
上記構成において、前記脚は複数の脚部材を連続的に連結して構成され、前記各脚部材の少なくとも一方の端部には、その中央に外側へ突出した雄ねじ部及び前記雄ねじ部と螺合可能な雌ねじ部のいずれかが設けられ、一の脚部材の雄ねじ部と他の脚部材の雌ねじ部を螺合させることにより前記一の脚部材と他の脚部材とを連結することが好ましい。
【００１１】
また、前記連結具の下端部側に形成された雌ねじと、前記脚の上端部に形成された雄ねじとを相互に螺合させることにより、前記脚と前記連結具とを結合することが好ましい。
【００１５】
さらに、前記雄ねじ部は、合成樹脂材で成型された胴体と、前記胴体にインサートされたボルトで構成されていることが好ましい。
【００１６】
さらに、前記雌ねじ部は、合成樹脂材で成型された胴体と、前記胴体にインサートされたナットで構成されていることが好ましい。
【００１７】
【発明の実施の形態】
本発明の一実施形態について、図面を参照しつつ説明する。図１は本実施形態における机の脚構造を示す斜視図であり、図２はその断面図である。
【００１８】
図１及び２に示すように、連結具２０の下端部には雌ねじ２８が形成されており、脚１０の上端に形成された雄ねじ１１が螺合している。連結具２０の上端部にはフランジ部２１が設けられており、複数のねじ２２により天板３０の裏面に固定されている。フランジ部２１の中央には、天板３０側に突出した嵌合突起２３が形成されている。また、天板３０の裏面には、嵌合突起２３が嵌合される嵌合穴３１が形成されている。
【００１９】
嵌合突起２３の外周面には、複数ののこぎり歯状の凹凸２４が形成されており、凹凸２４の最大径は、天板３０の嵌合穴３１の内径よりも若干大きい。これは、嵌合突起２３を天板の嵌合穴３１に圧入することにより、凹凸２４の弾性変形による応力を発生させ、連結具２０と天板３０との固定状態をさらに堅固にするためである。なお、本実施形態における凹凸２４の方向は、歯先円が嵌合突起２３の中心軸に対して直交する方向であるが、これに限定されず、歯先を結ぶ線が嵌合突起２３の中心軸に対して平行となるように形成しても良い。
【００２０】
さらに、図２に示す構成例では、連結具２０のフランジ部２１の天板３０側に所定深さの凹部２５を形成し、この凹部２５に硬質の補強板２６を嵌合させている。その結果、ねじ２２と連結具２０のフランジ部２１との間に遊動が発生しにくくなり、より堅固な固定状態を実現することができる。さらに、補強板２６の中央部に、嵌合突起２３を圧入するための嵌合穴２７を穿設することにより、接着剤を用いることなく、補強板２６を連結具２０に強固に固定することができる。なお、補強板２６を用いることなく、図３に示すような連結具２０’を用いてもよい。
【００２１】
次に、脚１０の詳細な構成を図４及び図５に示す。図に示すように、脚１０は、複数の脚部材１２を相互に連結して構成され、連結する個数を変えることによりその長さを調整することができる。最上部の脚部材１２の上端部には、連結具２０の脚用雌ねじ部と螺合するように外周部に雄ねじが形成されている。また、その下端部には、他の脚部材１２と連結するための連結構造が設けられている。その他の脚部材１２はほぼ同じ構造を有しており、上端部及び下端部にそれぞれ他の脚部材と連結するための連結構造が設けられている。
【００２２】
ここで、各脚部材１２を相互に連結するための連結構造について説明する。各脚部材１２は、それぞれ上限端部の内周に雌ねじが形成された筒状部と、筒状部の各雌ねじに螺合する雄ねじ端部材１４及び雌ねじ端部材１６で構成されている。雄ねじ端部材１４の中央部には、ねじ部が外側に突出するようにボルト１３が植設されている。また、雌ねじ端部材１６には、ボルト１３と螺合するためのナット１５が植設されている。さらに、最下端の脚部材１２の下端部は、雌ねじ端部材１６が螺合されており、さらに雄ねじ部が外側に突出するように形成された滑り止め１７が、雌ねじ端部材１６のナット１５に螺合されている。
【００２３】
本実施形態では、雄ねじ端部材１４及び雌ねじ端部材１６の胴体を合成樹脂製とし、金属製のボルト１３及びナット１５をインサートして成型している。なお、同じ端部材１４及び雌ねじ端部材１６の構成はこれに限定されず、それぞれ単一部品で一体に形成しても良い。
【００２４】
次に、本実施形態の変形例を図６に示す。この変形例では、全ての脚部材１２を同一形状とし、最上部の脚部材１２のボルト１３天板３０の植設されたナット４０に直接螺合させている。このような構成により、脚１０を同一形状の脚部材１２のみで構成することができ、コストダウンをはかることができる。
【００２５】
次に、上記実施形態の作用について検討する。まず、天板３０と脚１０との結合構造の側面から見れば、天板３０の嵌合穴３１に嵌合突起２３を圧入すると、その外周面に形成された複数の凹凸２４が弾性変形し、それによる応力が発生すると共に、嵌合穴３１の内周面も若干弾性変形し、凹凸２４の鋭角の先端部分が天板３０に食い込む。その結果、連結具２０と天板３０との固定状態がさらに堅固になる。
【００２６】
また、図７に示す従来例のように、フランジ部を複数のねじだけによって天板に固定する構造に比べて、本実施形態では、上記フランジ部２１の中央から導出された嵌合突起２３により、脚１０の側方から加えられる外力に対して脚１０をより堅固に支持することができ、フランジ部２１を結合するねじ２２に加えられる力を低減することができる。その結果、ねじ２２とフランジ部２１との間に遊動が発生するのを抑制しつつ、より強力な結合状態を維持することができる。
【００２７】
さらに、フランジ部２１に形成された凹部２５に嵌合された硬質の補強板２６により、ねじ２２とフランジ部２１との間の遊動をさらに小さくすることができる。
【００２８】
一方、脚１０を複数の複数の脚部材１２で構成し、脚部材１２の連結数を変化させることにより、脚部材１２の長さを単位として、脚１０の長さを調節することができる。すなわち、脚部材１２の長さを短かくすればするほど、脚１０の長さをよりきめ細かく調節することができる。
【００２９】
【発明の効果】
以上説明したように、本発明によれば、裏面に所定形状の嵌合穴が形成された天板と、上端側に前記嵌合穴と嵌合する嵌合突起及び前記天板の裏面に密着し、複数のネジにより前記天板に固定されるためのフランジが形成された連結具と、前記連結具の下端部に結合される脚を具備するので、天板の嵌合穴と連結具の嵌合突起との嵌合により、机の天板と脚との結合力をさらに強化される。その結果、天板と脚の結合構造が破損されにくくなり、耐久性を大いに向上することができる。
【００３０】
また、前記脚は複数の脚部材を連続的に連結して構成することにより、脚部材の連結数を変化させることにより脚の長さを脚部材の長さ単位で調節することができる。その結果、幼稚園や託児所などにおいて、子供達の旺盛な発育状態にあわせて机の高さを隨時調節することができる。
【００３１】
さらに、前記各脚部材の少なくとも一方の端部には、その中央に外側へ突出した雄ねじ部及び前記雄ねじ部と螺合可能な雌ねじ部のいずれかが設けられ、一の脚部材の雄ねじ部と他の脚部材の雌ねじ部を螺合させることにより前記一の脚部材と他の脚部材とを連結することにより、実質的に同一形状の脚部材の組み合わせにより脚を構成することができ、コストダウンをはかることができる。
【図面の簡単な説明】
【図１】本発明に係る机の脚構造の一実施形態の構成を示す分解斜視図である。
【図２】上記実施形態における天板と連結具及び脚の結合部の詳細な構成を示す断面図である。
【図３】上記実施形態における連結具の他の構成を示す断面図である。
【図４】上記実施形態における脚の構成例を示す分解斜視図である。
【図５】上記実施形態における天板と連結具及び脚の連結構造を示す断面図である。
【図６】上記実施形態における天板と連結具及び脚の連結構造の変形例を示す断面図である。
【図７】従来の机の脚構造を示す断面図である。
【符号の説明】
１０  ：脚
１２  ：脚部材
１３  ：ボルト
１４  ：雄ねじ端部材
１５  ：ナット
１６  ：雌ねじ端部材
２０  ：連結具
２１  ：フランジ部
２３  ：嵌合突起
２４  ：凹凸
２５  ：凹部
２６  ：補強板
２７  ：嵌合穴
３０  ：天板
３１  ：嵌合穴
４０  ：ナット
【図１】
0003610035.tif 000002
【図２】
0003610035.tif 000003
【図３】
0003610035.tif 000004
【図４】
0003610035.tif 000005
【図５】
0003610035.tif 000006
【図６】
0003610035.tif 000007
【図７】
0003610035.tif 000008